【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
下記の式（Ｉ）：
【化１】
2016531168.tif 000001
（式中、
Ｍは金属であり、
それぞれのＲが独立して、原子または原子団であり、かつ、
少なくとも１つのＲが−ＯＲ１［式中、Ｒ１は原子または原子団である］である）
を有するリン光性メソ非置換ポルフィリン。
【請求項２】
３５０ナノメートル〜６００ナノメートルの範囲における第１の波長で照射されるときに励起され、その後、６００ナノメートル〜７００ナノメートルの範囲における第２の波長でのリン光を放射することが可能である、請求項１に記載のポルフィリン。
【請求項３】
前記第１の波長が５３２ナノメートルであり、かつ
前記第２の波長が６４４ナノメートルである、請求項２に記載のポルフィリン。
【請求項４】
前記第１の波長が５４６ナノメートルであり、かつ
前記第２の波長が６７４ナノメートルである、請求項２に記載のポルフィリン。
【請求項５】
下記の式（ＩＩ）：
【化２】
2016531168.tif 000002
（式中、
Ｍは金属であり、
それぞれのＲが独立して、原子または原子団であり、かつ、
少なくとも１つのＲが−ＯＲ１［式中、Ｒ１は原子または原子団である］である）
を有するリン光性メソ非置換ポルフィリン。
【請求項６】
Ｒ１が、水素、置換または非置換のアルキル基、置換または非置換のアルキルカルボニル基、置換または非置換のアルケニル基、置換または非置換のアルキニル基、置換または非置換のシクロアルキル基、置換または非置換のヘテロシクロアルキル基、置換または非置換のアリール基、ヘテロアリール基、ハロ基、シアノ基およびニトロ基からなる群から選択される、請求項１〜５のいずれか１項に記載のポルフィリン。
【請求項７】
Ｒ１が水素である、請求項１〜５のいずれか１項に記載のポルフィリン。
【請求項８】
Ｒ１がアルキニル基である、請求項１〜５のいずれか１項に記載のポルフィリン。
【請求項９】
Ｒ１がプロピニル基である、請求項１〜５のいずれか１項に記載のポルフィリン。
【請求項１０】
複数のＲが−ＯＲ１である、請求項１〜５のいずれか１項に記載のポルフィリン。
【請求項１１】
どのＲも−ＯＲ１である、請求項１〜５のいずれか１項に記載のポルフィリン。
【請求項１２】
どのＲも−ＯＲ１であり、かつ
Ｒ１がプロピニル基である、請求項１〜５のいずれか１項に記載のポルフィリン。
【請求項１３】
Ｒ１がトリアゾリル基を含む、請求項１〜５のいずれか１項に記載のポルフィリン。
【請求項１４】
前記トリアゾリル基がアルキル鎖を介してＯに結合する、請求項１３に記載のポルフィリン。
【請求項１５】
Ｒ１がアルキルグルタメート基を含む、請求項１〜５のいずれか１項に記載のポルフィリン。
【請求項１６】
Ｒ１の末端が１対のアルキルグルタメート基である、請求項１〜５のいずれか１項に記載のポルフィリン。
【請求項１７】
Ｒ１がトリアゾリル基を含み、かつ、
Ｒ１の末端が１対のエチルグルタメート基である、請求項１３に記載のポルフィリン。
【請求項１８】
どのＲも−ＯＲ１である、請求項１７に記載のポルフィリン。
【請求項１９】
Ｍが白金である、請求項１〜５のいずれか１項に記載のポルフィリン。
【請求項２０】
Ｍがパラジウムである、請求項１〜５のいずれか１項に記載のポルフィリン。
【請求項２１】
第二世代のグルタミン酸デンドリマーの内部にカプセル化される、請求項１〜５のいずれか１項に記載のポルフィリン。
【請求項２２】
放射強度が酸素分圧に依存する酸素感受性リン光体である、請求項１〜５のいずれか１項に記載のポルフィリン。
【請求項２３】
３５０ナノメートル〜６５０ナノメートルの範囲における第１の波長で照射されるときに励起され、その後、７００ナノメートル〜８００ナノメートルの範囲における第２の波長でのリン光を放射することが可能である、請求項５に記載のポルフィリン。
【請求項２４】
前記第１の波長が５９４ナノメートルであり、かつ
前記第２の波長が７４０ナノメートルである、請求項２３に記載のポルフィリン。
【請求項２５】
前記第１の波長が６０５ナノメートルであり、かつ
前記第２の波長が７７０ナノメートルである、請求項２３に記載のポルフィリン。
【請求項２６】
ポルフィリン化合物を作製するための方法であって、
（ａ）下記の式（ＩＩＩ）の化合物：
【化３】
2016531168.tif 000003
（式中、
Ｒ２は原子または原子団であり、
Ｒ３は原子または原子団であり、かつ
Ｒ２およびＲ３の少なくとも１つが−ＯＲ４［式中、Ｒ４は原子または原子団である］である）
を縮合すること
を含む方法。
【請求項２７】
Ｒ４が、水素、置換または非置換のアルキルカルボニル基、置換または非置換のアルキル基、置換または非置換のアルケニル基、置換または非置換のアルキニル基、置換または非置換のシクロアルキル基、置換または非置換のヘテロシクロアルキル基、置換または非置換のアリール基、ヘテロアリール基、ハロ基、シアノ基およびニトロ基からなる群から選択される、請求項２６に記載の方法。
【請求項２８】
Ｒ２が−ＯＲ４であり、かつ
Ｒ３が−ＯＲ４である、請求項２６に記載の方法。
【請求項２９】
Ｒ４がアルキルカルボニル基である、請求項２８に記載の方法。
【請求項３０】
Ｒ４がＣ１〜Ｃ１０アルキルカルボニル基である、請求項２８に記載の方法。
【請求項３１】
Ｒ４がｔｅｒｔ−ブチルカルボニルである、請求項２８に記載の方法。
【請求項３２】
工程（ａ）が、式（ＩＩＩ）の前記化合物をテトラシクロヘキセノポルフィリン環に縮合することを含む、請求項２９に記載の方法。
【請求項３３】
さらに、
（ｂ）下記の式（Ｉ）を有するリン光性メソ非置換ポルフィリンを前記テトラシクロヘキセノポルフィリンから合成すること：
【化４】
2016531168.tif 000004
（式中、
Ｍは金属であり、
それぞれのＲが独立して、原子または原子団であり、かつ、
少なくとも１つのＲが−ＯＲ１［式中、Ｒ１は原子または原子団である］である）
を含む、請求項３２に記載の方法。
【請求項３４】
さらに、
（ｂ）下記の式（ＩＩ）を有するリン光性メソ非置換ベンゾポルフィリンを前記テトラシクロヘキセノポルフィリンから合成すること：
【化５】
2016531168.tif 000005
（式中、
Ｍは金属であり、
それぞれのＲが独立して、原子または原子団であり、かつ、
少なくとも１つのＲが−ＯＲ１［式中、Ｒ１は原子または原子団である］である）
を含む、請求項３２に記載の方法。
【請求項３５】
Ｒ１がアルキニル基である、請求項３３または請求項３４に記載の方法。
【請求項３６】
複数のＲが−ＯＲ１である、請求項３３または請求項３４に記載の方法。
【請求項３７】
どのＲも−ＯＲ１である、請求項３３または請求項３４に記載の方法。
【請求項３８】
どのＲも−ＯＲ１であり、かつ
Ｒ１がプロピニル基である、請求項３３または請求項３４に記載の方法。
【請求項３９】
Ｒ１がトリアゾリル基を含む、請求項３３または請求項３４に記載の方法。
【請求項４０】
前記トリアゾリル基がアルキル鎖を介してＯに結合する、請求項３３または請求項３４に記載の方法。
【請求項４１】
Ｒ１がアルキルグルタメート基を含む、請求項３３または請求項３４に記載の方法。
【請求項４２】
Ｒ１の末端が１対のアルキルグルタメート基である、請求項３３または請求項３４に記載の方法。
【請求項４３】
Ｒ１がトリアゾリル基を含み、かつ、
Ｒ１の末端が１対のエチルグルタメート基である、請求項３３または請求項３４に記載の方法。
【請求項４４】
どのＲも−ＯＲ１である、請求項３３または請求項３４に記載の方法。
【請求項４５】
Ｍが白金である、請求項３３または請求項３４に記載の方法。
【請求項４６】
Ｍがパラジウムである、請求項３３または請求項３４に記載の方法。
【請求項４７】
前記テトラシクロヘキセノポルフィリンが、前記式（ＩＩ）を有する前記リン光性メソ非置換ベンゾポルフィリンを形成するために酸化され、金属化される、請求項３４に記載の方法。
【請求項４８】
対象の組織における酸素を測定するための方法であって、
（ａ）請求項１または請求項５に記載される化合物を前記対象の組織の近くに配置すること；
（ｂ）前記化合物がリン光を発することを生じさせること；および
（ｃ）酸素圧を前記化合物からのリン光強度に基づいて計算すること、
を含む方法。
【請求項４９】
前記化合物が、手当用品に取り込まれるマトリックスに付随する、請求項４８に記載の方法。